【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
原子炉圧力容器のための熱制御システムであって、
実質的に円形を有し、前記原子炉圧力容器の壁に取り付けられたプレートであって、前記プレートが、前記原子炉圧力容器を上部原子炉圧力容器領域と下部原子炉圧力容器領域とに分割し、前記プレートが、前記上部原子炉圧力容器領域内に配置された加圧容積と、前記下部原子炉圧力容器領域内に配置された一次冷却剤との間で熱障壁を提供するように構成された、プレートと、
前記原子炉圧力容器の前記壁を通過する複数の伝熱チューブに経路を提供する１つ以上のプレナムであって、前記複数の伝熱チューブが前記プレートに接続されている、１つ以上のプレナムと
を備える、システム。
【請求項２】
請求項１に記載のシステムであって、
前記上部原子炉圧力容器領域は、化学体積制御システムまたは緊急炉心冷却システムの一方または両方の少なくとも一部を含み、
前記下部原子炉圧力容器領域は、前記一次冷却剤内に沈む炉心を含んでいる、システム。
【請求項３】
請求項１または２に記載のシステムであって、
前記１つ以上のプレナムは、前記プレートに取り付けられ、
前記複数の伝熱チューブは、前記１つ以上のプレナムの下方の前記プレートに接続されている、システム。
【請求項４】
請求項１〜３のうちのいずれか１項に記載のシステムであって、
前記プレートは、前記原子炉圧力容器の前記壁に取り付けられた実質的に水平なプレートを備え、
前記複数の伝熱チューブは、前記水平なプレート内に配置された複数の貫通孔を通過する、システム。
【請求項５】
請求項１〜４のうちのいずれか１項に記載のシステムであって、
前記原子炉圧力容器は、前記上部原子炉圧力容器領域を収容する上部原子炉圧力容器と、前記下部原子炉圧力容器領域を収容する下部原子炉圧力容器とを備え、
前記プレートは、前記上部原子炉圧力容器に取り付ける上部フランジと、前記下部原子炉圧力容器に取り付ける下部フランジとを備える、システム。
【請求項６】
請求項５に記載のシステムであって、
前記上部原子炉圧力容器は、前記原子炉圧力容器が完全に組み立てられると、前記上部フランジと前記下部フランジとの間の距離に応じて、前記下部原子炉圧力容器から離されている、システム。
【請求項７】
請求項５または６に記載のシステムであって、
前記上部フランジは、前記上部原子炉圧力容器と前記下部原子炉圧力容器との中間の前記原子炉圧力容器の前記壁の一部を形成する、システム。
【請求項８】
請求項５〜７のうちのいずれか１項に記載のシステムであって、
前記上部フランジの側壁は、前記プレートから前記１つ以上のプレナムの上方の高さまで延在する、システム。
【請求項９】
請求項８に記載のシステムであって、
前記１つ以上のプレナムの下部分は、前記プレートに溶接され、
前記１つ以上のプレナムの側部は、前記上部フランジの前記側壁に溶接される、システム。
【請求項１０】
請求項５〜９のうちのいずれか１項に記載のシステムであって、
前記上部原子炉圧力容器は、前記上部フランジの上端面に溶接され、
前記下部原子炉圧力容器は、前記下部フランジの底面に溶接される、システム。
【請求項１１】
請求項１〜１０のうちのいずれか１項に記載のシステムであって、
前記プレートは、前記一次冷却剤が前記プレートを通って前記上部原子炉圧力容器領域内に入り、前記下部原子炉圧力容器領域へ戻って再循環することを制御可能に許容するように構成された複数のオリフィスを備える、システム。
【請求項１２】
請求項１１に記載のシステムであって、
前記オリフィスは、更に、前記一次冷却剤が前記プレートを通過することを閉鎖位置で防止するように構成されている、システム。
【請求項１３】
請求項１１または１２に記載のシステムであって、
前記伝熱チューブは、蒸気発生システムからの二次冷却剤が前記プレートを通って前記下部原子炉圧力容器領域内に入ることができるように構成されている、システム。
【請求項１４】
請求項１３に記載のシステムであって、
前記一次冷却剤と前記二次冷却剤との双方は、混合されることなく、前記プレートを通過する、システム。
【請求項１５】
請求項１〜１４のうちのいずれか１項に記載のシステムであって、
前記１つ以上のプレナムは、前記原子炉圧力容器の前記壁に取り付けられた実質的に垂直なプレートを備え、
前記複数の伝熱チューブは、前記垂直なプレート内に配置された複数の貫通孔を通過する、システム。
【請求項１６】
請求項１５に記載のシステムであって、
前記垂直なプレートは、前記原子炉圧力容器の前記壁の一部を形成する、システム。
【請求項１７】
請求項１〜１６のうちのいずれか１項に記載のシステムであって、更に、
前記原子炉圧力容器を収容するように構成された格納容器を備え、
前記プレートの上方に配置された前記格納容器の上部分の外径は、前記格納容器の下部分の外径より小さい、システム。
【請求項１８】
請求項１７に記載のシステムであって、
前記格納容器の前記上部分の前記外径は、前記格納容器の前記下部分の前記外径の半分未満の大きさである、システム。
【請求項１９】
請求項１７または１８に記載のシステムであって、更に、
前記格納容器の前記上部分から吊るされ、前記格納容器の前記下部分内に配置された前記下部原子炉圧力容器領域内へと前記プレートを通過する複数の制御棒を備える、システム。
【請求項２０】
請求項１７〜１９のうちのいずれか１項に記載のシステムであって、
前記格納容器の前記上部分は、前記格納容器の円筒形状の下部分上でニップル形状のドームを形成する、システム。
【請求項２１】
原子炉圧力容器チューブシートであって、
水平に配向されたプレートであって、原子炉圧力容器を前記プレートの上方に配置された上部原子炉圧力容器領域と前記プレートの下方に配置された下部原子炉圧力容器領域とに分割し、前記プレートが前記上部原子炉圧力容器領域内に配置された加圧容積と前記下部原子炉圧力容器領域内に配置された一次冷却剤との間に障壁を提供するように構成された、水平に配向されたプレートと、
前記プレート内に配置され、前記原子炉圧力容器内へ二次冷却剤を送る複数の伝熱チューブを受容するように構成された複数の取付孔と、
前記プレート内に配置され、前記一次冷却剤が前記下部原子炉圧力容器領域から前記上部原子炉圧力容器領域へ通過するのを制御可能に許容するように構成され、且つ互いに混合されることなく前記一次冷却剤と前記二次冷却剤とが前記プレートを通過するように構成された複数のオリフィスと
を備える、原子炉圧力容器チューブシート。
【請求項２２】
請求項２１に記載の原子炉圧力容器チューブシートであって、更に、
前記プレートに取り付けられた１つ以上のプレナムを備え、
前記複数の取付孔は、前記１つ以上のプレナムの下方に配置されている、原子炉圧力容器チューブシート。
【請求項２３】
請求項２２に記載の原子炉圧力容器チューブシートであって、
前記複数のオリフィスは、前記１つ以上のプレナムの外側に配置されている、原子炉圧力容器チューブシート。
【請求項２４】
請求項２２または２３に記載の原子炉圧力容器チューブシートであって、
前記１つ以上のプレナムは、前記複数の伝熱チューブが前記原子炉圧力容器内へ入る経路を提供する、原子炉圧力容器チューブシート。
【請求項２５】
請求項２１〜２４のうちのいずれか１項に記載の原子炉圧力容器チューブシートであって、
前記プレートは、前記プレートの外周の周りの前記原子炉圧力容器の壁に溶接されている、原子炉圧力容器チューブシート。
【請求項２６】
請求項２１〜２５のうちのいずれか１項に記載の原子炉圧力容器チューブシートであって、
前記プレートは、
前記原子炉圧力容器の上部ヘッドに取り付く上部フランジと、
前記原子炉圧力容器の下部分に溶接される下部フランジと
を備える、原子炉圧力容器チューブシート。
【請求項２７】
請求項２６に記載の原子炉圧力容器チューブシートであって、
前記上部ヘッドは、前記上部フランジと前記下部フランジとの間の距離に応じて前記原子炉圧力容器の前記下部分から離されている、原子炉圧力容器チューブシート。